(57)【要約】【課題】瓦葺き屋根のように整然と並んだ鱗片状舌片によって表面が覆われた鱗状織編布帛を効率的に得る。【解決手段】軸糸１０の片側縁または両側縁から舌片５０が突出している舌片糸条４０をベース織編地３４に織編込み、その舌片５０をベース織編地３４の表側と裏側の何れか一方または双方に突き出して鱗状織編布帛を構成する。繰り返し織編込まれてベース織編地の長さ方向に前後する２本の軸糸１０ａ・１０ｂの中の一方１０ａの舌片５１を、他方の軸糸１０ｂの舌片５２の上に触れ合う位置まで突き出す。舌片糸条４０は、軸糸１０に舌片５１・５２を縫合して構成することが出来、又、平板な基材３９から軸糸１０と舌片５０を一体的に切り取って構成することも出来る。舌片５０の裏面には接着材４９を積層しておくとよい。鱗状織編布帛の表面２８を樹脂皮膜２９によって被覆しておくとよい。【選択図】図１
2008069499.tif 000002
【特許請求の範囲】
【請求項１】
軸糸（１０）の片側縁または両側縁から舌片（５０）が突出している舌片糸条（４０）が織編込まれており、その舌片（５０）がベース織編地（３４）の表側と裏側の何れか一方または双方に突き出ていることを特徴とする鱗状織編布帛。
【請求項２】
ベース織編地（３４）が、地経糸（２０〜２３・３０〜３３）と地緯糸（１１〜１８）との何れか少なくとも一方の糸条と舌片糸条（４０）が交絡して構成されている前掲請求項１に記載の鱗状織編布帛。
【請求項３】
地経糸（２０〜２３・３０〜３３）と地緯糸（１１〜１８）との何れか少なくとも一方の糸条によって構成されるベース織編地（３４）に舌片糸条（４０）が織編込まれている前掲請求項１に記載の鱗状織編布帛。
【請求項４】
ベース織編地（３４）が織物であり、順次織り込まれる複数本の緯糸（１０〜１８）の中の一部の緯糸（１０）を構成する軸糸（１０）が地経糸（２１〜２３・３１〜３３）の上を越えて織物表面に浮き出る当該軸糸（１０）の浮出部分（４１・４２）から、扁平断面の舌片（５０・５１・５２）が、製織方向の前後一方向または前後二方向に突き出ている前掲請求項１と２と３の何れかに記載の鱗状織編布帛。
【請求項５】
繰り返し織編込まれてベース織編地の長さ方向に前後する２本の軸糸（１０ａ・１０ｂ）の中の一方（１０ａ）の舌片（５１）が、他方の軸糸（１０ｂ）の舌片（５２）の上に触れ合う位置まで突き出ている前掲請求項１と２と３と４と５の何れかに記載の鱗状織編布帛。
【請求項６】
軸糸（１０）が扁平断面を成し、その軸糸（１０）に舌片（５１・５２）が縫合されている前掲請求項１と２と３と４と５の何れかに記載の鱗状織編布帛。
【請求項７】
軸糸（１０）と舌片（５０）が平板な基材（３９）から切り取って一体的に構成され、軸糸（１０）が扁平断面を成している前掲請求項１と２と３と４と５の何れかに記載の鱗状織編布帛。
【請求項８】
複数の舌片（５０ａ・５０ｂ・５０ｃ………）が軸糸（１０）の長さ方向において隣り合って軸糸（１０）から突き出ており、舌片（５０）と軸糸（１０）との境界（１９）において隣り合う舌片（５０ｂ）と舌片（５０ｃ）の間の隙間（ｇ）が、隣り合う舌片（５０ｂ）と舌片（５０ｃ）の間隔（Ｌ）の１０分の１以下である前掲請求項１と２と３と４と５と６と７の何れかに記載の鱗状織編布帛。
【請求項９】
ベース織編地の長さ方向において前後する一方の軸糸（１０ｂ）の浮出部分（４２）の左右の上を越える地経糸（２０）が、その前後する他方の軸糸（１０ａ）の浮出部分（４１）の下に潜っている前掲請求項１と２と３と４と５と６と７と８の何れかに記載の鱗状織編布帛。
【請求項１０】
舌片（５０）の裏面に接着材（４９）が積層されている前掲請求項１と２と３と４と５と６と７と８と９の何れかに記載の鱗状織編布帛。
【請求項１１】
舌片（５０）が現れる鱗状織編布帛の表面（２８）が樹脂皮膜（２９）に被覆されている前掲請求項１と２と３と４と５と６と７と８と９と１０の何れかに記載の鱗状織編布帛。
【発明の詳細な説明】
【技術分野】
【０００１】
本発明は、表面が鱗片状に装飾され、ショールやドレス、洋服、和服等の衣料生地、ハンドバック、財布、名刺入れ等の袋物、和装帯、ベルト等の身の回り品、靴、スリッパ、書籍等の表装生地、カーテンや家具、その他の屋内装置品の内装材等に適し、濾布やフィルターにも使用し得る鱗状織編布帛に関するものである。
【背景技術】
【０００２】
表面が鱗片状に装飾された生地としては、スパンコールに覆われたスパンコール布帛があり、その作製に相当の熟練と手間暇を要することからコスト的に高価で付加価値の高い美術工芸品として扱われている。スパンコール布帛を安価に作製する方法として、スパンコールを両面接着テープに並べて仮接着し、その両面接着テープと共に屋根瓦を葺くように基布に仮接着し、ミシン糸目によってスパンコールを基布に縫合する方法が知られている（例えば、特許文献１参照）。
【０００３】
【特許文献１】特開昭５７−１０１０８７号公報（特公昭６３−２９０３９）
【発明の開示】
【発明が解決しようとする課題】
【０００４】
特開昭５７−１０１０８７号公報（特許文献１）に記載の方法では、ミシン糸目を係止し得る緻密な基布を必要とし、その基布が緻密なことから通気性と可撓性に富むスパンコール布帛は得られず、特に、基布がミシン糸目によって補強されるのでスパンコール布帛が硬く仕上がり、それにもまして、屋根瓦を葺くように両面接着テープと共にスパンコールを基布に並べるためには相当の手間・暇を要し、その工程を自動化することは困難であり、時としてスパンコールの配列斑を生じ、品質の安定したスパンコール布帛は得られない。
【０００５】
そこで本発明は、瓦葺き屋根のように整然と並んだ鱗片状舌片によって表面が覆われた鱗状織編布帛を効率的に得ることを目的とする。
【課題を解決するための手段】
【０００６】
本発明に係る鱗状織編布帛は、軸糸１０の片側縁または両側縁から舌片５０が突出している舌片糸条４０が織編込まれており、その舌片５０がベース織編地３４の表側と裏側の何れか一方または双方に突き出ていることを第１の特徴とする。
【０００７】
本発明に係る鱗状織編布帛の第２の特徴は、上記第１の特徴に加えて、ベース織編地３４が、地経糸２０〜２３・３０〜３３と地緯糸１１〜１８との何れか少なくとも一方の糸条と舌片糸条４０が交絡して構成されている点にある。
【０００８】
本発明に係る鱗状織編布帛の第３の特徴は、上記第１の特徴に加えて、地経糸２０〜２３・３０〜３３と地緯糸１１〜１８との何れか少なくとも一方の糸条によって構成されるベース織編地３４に舌片糸条４０が織編込まれている点にある。
【０００９】
本発明に係る鱗状織編布帛の第４の特徴は、上記第１、第２および第３の何れかの特徴に加えて、ベース織編地３４が織物であり、順次織り込まれる複数本の緯糸１０〜１８の中の一部の緯糸（１０）を構成する軸糸１０が地経糸２１〜２３・３１〜３３の上を越えて織物表面に浮き出る当該軸糸１０の浮出部分４１・４２から、扁平断面の舌片５０（５１・５２）が、製織方向の前後一方向または前後二方向に突き出ている点にある。
【００１０】
本発明に係る鱗状織編布帛の第５の特徴は、上記第１、第２、第３および第４の何れかの特徴に加えて、繰り返し織編込まれてベース織編地の長さ方向に前後する２本の軸糸１０ａ・１０ｂの中の一方１０ａの舌片５１が、他方の軸糸１０ｂの舌片５２の上に触れ合う位置まで突き出ている点にある。
【００１１】
本発明に係る鱗状織編布帛の第６の特徴は、上記第１、第２、第３、第４および第５の何れかの特徴に加えて、軸糸１０が扁平断面を成し、その軸糸１０に舌片５１・５２が縫合されている点にある。
【００１２】
本発明に係る鱗状織編布帛の第７の特徴は、上記第１、第２、第３、第４および第５の何れかの特徴に加えて、軸糸１０と舌片５０が平板な基材３９から切り取って一体的に構成され、軸糸１０が扁平断面を成している点にある。
【００１３】
本発明に係る鱗状織編布帛の第８の特徴は、上記第１、第２、第３、第４、第５、第６および第７の何れかの特徴に加えて、複数の舌片５０ａ・５０ｂ・５０ｃ………が軸糸１０の長さ方向において隣り合って軸糸１０から突き出ており、舌片５０と軸糸１０との境界１９において隣り合う舌片５０ｂと舌片５０ｃの間の隙間ｇが、隣り合う舌片５０ｂと舌片５０ｃの間隔Ｌの１０分の１以下である点にある。
【００１４】
本発明に係る鱗状織編布帛の第９の特徴は、上記第１、第２、第３、第４、第５、第６、第７および第８の何れかの特徴に加えて、ベース織編地の長さ方向において前後する一方の軸糸１０ｂの浮出部分４２の左右の上を越える地経糸２０が、その前後する他方の軸糸１０ａの浮出部分４１の下に潜っている点にある。
【００１５】
本発明に係る鱗状織編布帛の第１０の特徴は、上記第１、第２、第３、第４、第５、第６、第７、第８および第９の何れかの特徴に加えて、舌片５０の裏面に接着材４９が積層されている点にある。
【００１６】
本発明に係る鱗状織編布帛の第１１の特徴は、上記第１、第２、第３、第４、第５、第６、第７、第８、第９および第１０の何れかの特徴に加えて、舌片５０が現れる鱗状織編布帛の表面２８が樹脂皮膜２９に被覆されている点にある。
【発明の効果】
【００１７】
本発明によると、舌片５０は、地経糸２０〜２３や地緯糸１１〜１８の交差する織編布帛の組織点においてベース織編地表面に軸糸１０の一部として浮き出るので、その配列が乱れたり、その配置間隔に斑を生じることがなく、舌片５０が整然と並び、表面２８が舌片５０に装飾され、特に、ベース織編地の長さ方向（製織方向・ウェール方向）に前後する２本の軸糸１０ａ・１０ｂの中の一方１０ａの舌片５１が、他方の軸糸１０ｂの舌片５２の上に触れ合う位置まで突き出ているときは、地経糸２０〜２３や地緯糸１１〜１８が表面２８に露出せず、舌片５０が前後左右のみならず左右斜め方向に並んだ幾何学模様を呈するので、ショールやドレス、洋服、和服等の衣料生地、ハンドバック、財布、名刺入れ等の袋物、和装帯、ベルト等の身の回り品、靴、スリッパ、書籍等の表装生地、カーテンや家具、その他の屋内装置品の内装材等に適した美しい鱗状織編布帛が得られる。
【００１８】
本発明によると、ベース織編地の長さ方向（製織方向・ウェール方向）に前後する舌片５１と舌片５２が屋根瓦のように重なり合って並ぶので、地経糸２０〜２３や地緯糸１１〜１８が舌片５１・５２に被覆され、全面が舌片５１・５２に覆われて美しく、表面２８が擦られても地経糸２０〜２３や地緯糸１１〜１８が摩耗・損傷することがなく、耐久性に富む鱗状織編布帛が得られる。
【００１９】
舌片５０の先端部分２５は、地経糸２０〜２３と地緯糸１１〜１８の構成するベース織編地３４に阻まれることなく自由に、表面２８から浮上・突出可能になっている。一方、舌片５０の先端部分２５は、表面２８に表裏する裏側には、ベース織編地３４に阻まれて移動することは出来ない。そして、ベース織編地３４には、地経糸や地緯糸に囲まれた布目隙間３５が形成されている。このため、流体は布目隙間３５を、鱗状織編布帛の裏面側から表面側へと舌片５０に妨げられることなく通過し得る。
それとは逆に、鱗状織編布帛の表面側から裏面側に向けては、舌片５０に阻止されて通過し難くなる。
このように流体逆流抑止機能を有するので、空気清浄器機、液体清浄器機、廃水濾過装置等の濾過フィルター（濾布）としても有用な鱗状織編布帛が得られる。
【００２０】
舌片５１・５２がミシン糸目２７によって縫合されていても（図８）、そのミシン糸目２７は、唯一本の糸条（軸糸１０）を補強しているだけであって、その糸条（軸糸１０）に成る織編地（鱗状織編布帛）の地経糸（２１〜２３・３１〜３３）や地緯糸（軸糸１０）を縫合している訳ではないので、そのミシン糸目２７によって織編地（鱗状織編布帛）が補強されることはなく、織編込まれた軸糸１０は、地経糸（２１〜２３・３１〜３３）と交差する組織点において前後する地緯糸や左右の地経糸に挟まれて曲折した形状となる。
このため、扁平断面を成す糸条（軸糸１０）に舌片５１・５２が縫合されていても、そのミシン糸目２７に阻害されることなく、可撓性に富む鱗状織編布帛が得られる。
【００２１】
軸糸１０と舌片５０とを平板な基材３９から切り取って一体的に構成する場合、舌片５０を軸糸１０に接合する手間が省け、その切り取る舌片５０を複雑な形状にすることが出来、又、その平板な基材３９に多彩な地模様のプリントを施したり、複雑繊細な凹凸模様のエンボスを施すことが出来、絢爛豪華な鱗状織編布帛を得ることが出来る。
【００２２】
軸糸１０の長さ方向において隣り合う舌片５０ａ・５０ｂ・５０ｃ………の軸糸１０との境界１９における隙間ｇを、隣り合う舌片５０の間隔Ｌの１０分の１以下にすると、舌片間の隙間ｇがベース織編地の長さ方向（製織方向・ウェール方向）に一直線状に並んでいても、その隙間ｇから地経糸や緯糸が表面２８に露出して鱗状織編布帛の美観が損なわれるような不都合は回避される。尚、舌片５０の間隔Ｌの１０分の１以下となる舌片間５０・５０の隙間ｇには、軸糸１０に舌片５０を縫合して成る舌片糸条４０の隣り合う舌片５０ａの右側縁と舌片５０ｂの左側縁が重なり合った隙間、或いは、基材３９を裁断して成る舌片糸条４０の隣り合う舌片５０ａと舌片５０ｂの切れ目や裂け目のように、隣り合う舌片５０と舌片５０が密着してゼロ（ｇ＝０）となる隙間も包含される。
【００２３】
ベース織編地の長さ方向において前後する一方の軸糸１０ｂの浮出部分４２の左右の上を越える地経糸２０が、その前後する他方の軸糸１０ａの浮出部分４１の下に潜る織編組織になるベース織編地では、軸糸１０の長さ方向において隣り合う舌片５０ａ・５０ｂ・５０ｃ………の間隔（ピッチ）Ｌが、ベース織編地の長さ方向（製織方向・ウェール方向）に前後する舌片５１と舌片５２の間でベース織編地の幅方向において互いに半ピッチ（０．５Ｌ）づつずれることになる（図１，図４）。
このため、舌片間５１・５１の隙間ｇは、ベース織編地の長さ方向（製織方向・ウェール方向）において舌片５１に前後する舌片５２の先端部分２５に覆われて目立たず、舌片５０が前後左右および左右斜め方向に幾何学模様状に並んで蛇皮やワニ皮の観を呈し、ハンドバック、財布、名刺入れ、ベルト、婦人靴、スリッパ等の高級身の回り品の表装生地に最適の鱗状織編布帛が得られる。
【００２４】
舌片５０の裏面に接着材４９を積層しておくと、ベース織編地の長さ方向（製織方向・ウェール方向）に前後する舌片５１と舌片５２の重合代３８を接着することが出来、又、それらの舌片５１・５２の重なり合わない部分３７を地経糸２１〜２３・３１〜３３や緯糸１０〜１８に接着することが出来、舌片５０が剥離することのない耐久性に富む鱗状織編布帛が得られる（図５）。
【００２５】
舌片５０の現れる鱗状織編布帛の表面２８を樹脂皮膜２９によって被覆すると（図５）、舌片間５０・５０の隙間から水が滲み込まず、舌片５０が剥離することもなく、耐水性を有し、耐摩耗性に優れ、ハンドバック、財布、名刺入れ、ベルト、婦人靴、スリッパ等の高級身の回り品の表装生地に好適な鱗状織編布帛が得られる。
【発明を実施するための最良の形態】
【００２６】
図１は、ベース織編地３４が織成された鱗状織編布帛を図示する。
ベース織編地３４の織組織は、地経糸（２０〜２３・３０〜３３）と地緯糸（１１〜１８）とによる平織組織となっている。
軸糸１０ａ・１０ｂは、地緯糸（１１〜１８）を８回繰り返して織り込む毎に１回の割合で織り込まれている。
その織り込み箇所では、軸糸１０が、順次織り込まれる３本単位の地緯糸（１６〜１８）と平織組織を構成する８本単位の地経糸（２０〜２３・３０〜３３）の中の１本の地経糸２０（３０）の下に潜り、その残りの７本の地経糸（２０〜２３・３０〜３３）の上を越える緯二重織組織となっている。
【００２７】
製織方向において前後隣り合う２本の軸糸１０ａ・１０ｂの中の何れか１本の軸糸１０ａの上を越える地経糸３０は、その前後隣り合う他の軸糸１０ｂの下を潜り、その軸糸１０ｂの上を越える地経糸２０は、先の軸糸１０ａの下を潜っている。
即ち、製織方向において前後する一方の軸糸１０ｂの浮出部分４２の左右の上を越える地経糸２０は、その前後する他方の軸糸１０ａの浮出部分４１の下を潜り、他方の軸糸１０ａの浮出部分４２の左右の上を越える地経糸３０は、先の一方の軸糸１０ｂの浮出部分４１の下を潜る。
【００２８】
８本単位の地経糸（２０〜２３・３０〜３３）の中の残りの６本の地経糸（２１〜２３・３１〜３３）は、その上下する２本の地経糸２０・３０の間に３本づつ配置され、常に軸糸１０の下を潜っている。
その製織方向において前後する２本の軸糸１０ａ・１０ｂの中の一方１０ａの舌片５１は、他方の軸糸１０ｂの舌片５２の上に触れ合う位置まで突き出ている。
このため、鱗状織編布帛の表面は、舌片５０が前後左右および左右斜め方向に幾何学模様状に並んで蛇皮やワニ皮の観を呈することになる。
【００２９】
図２は、地緯糸１１と軸糸１０の両側縁から舌片５０ａ・５０ｂが突出している舌片糸条４０を交互に織り込み、２本単位の地経糸２１と地経糸２２と搦織組織を構成して織成された鱗状織編布帛を図示する。
軸糸１０の片側縁から突出している舌片５０ａは、製織方向において前後する２本の地緯糸１１ａの上を越えて表側に突き出ており、他の片側縁から突出している舌片５０ｂは、前後する他の地緯糸１１ｂの下に沈んで裏側に突き出ており、鱗状織編布帛の両面が舌片５０に覆われている。
【００３０】
図３は、緯糸挿入式ラッシェル経編機によって編成された鱗状織編布帛を図示する。
地経糸３０は、各コース毎に鎖編目を形成してウェール方向に一直線状に続く鎖編紐４５を形成している。
その鎖編目のニードルループ４３とシンカーループ４４の間に地緯糸１１と舌片糸条４０を１コースおきに交互に挿入され、地緯糸１１と舌片糸条４０によってコース方向において隣り合う鎖編紐４５と鎖編紐４５の間が連結されて鱗状織編布帛が構成され、ウェール方向において前後する舌片糸条の舌片５１・５２は、隣り合う鎖編紐４５と鎖編紐４５の間においてウェール方向に連続して表側に突き出ている。
【００３１】
図４は、緯糸挿入式横編機によって編成された鱗状織編布帛を図示する。
舌片糸条４０は、地緯糸１１の編成するベース織編地３４の２コースおきに挿入され、その挿入されたコースにおいて隣り合うニードルループ４３ａとニードルループ４３ｂを軸糸１０が交互に潜り、そして越えてベース織編地３４に係止され、舌片５０は２ウェールにつき１個の割合で表側に突き出ている。
【００３２】
舌片、特に、舌片と軸糸を一体的に構成することになる基材３９には、織物、編物、不織布等の布帛、和紙、洋紙、天然皮革、人工皮革、金属箔、プラスチックフイルム等を原材料として使用することが出来、それらの基材３９には、多彩な地模様をプリントし、複雑繊細な凹凸模様をエンボスし、金属蒸着加工する等して、装飾が適宜施される。
基材３９は、布帛（織物、編物、不織布）を基布とし、その上に装飾性の高い高級織物や天然皮革、多彩な地模様や複雑繊細な凹凸模様、金属蒸着等の施された化粧シートを貼り合わせて複層積層構造とすることも出来る。
【００３３】
軸糸１０に舌片５０を縫合する場合、舌片５０にはスパンコールや螺鈿、金属箔を使用することが出来る（図８）。
【００３４】
基材３９から切り取って舌片５０と軸糸１０を一体的に構成する場合、舌片５０は軸糸１０から鋸刃のようにジグザグに突き出た形状にすることも出来（図６）、又、軸糸１０をジグザグに折れ曲がった波形状にし、その突き出た部分をもって舌片５０とすることも出来る（図７）。そのように一定の周期をもって舌片５０ａ・５０ｂ・５０ｃが突き出た軸糸１０では（図６〜図８）、その舌片間の窪んだ部分２６の上を地経糸２０・３０が越えるようにベース織編地を設計する。
【００３５】
舌片５０と軸糸１０を一体的に基材３９から切り取るためには、その切取線３６に沿ってレーザービームを照射し、或いは、超音波を当て、或いは、カッター（刃物）を当て、或いは、切取線３６に沿って基材３９に抜触剤を印捺して溶触・破断する方法が採られる（図９）。
【００３６】
織物を基材３９とし、カッターによって裁断し、或いは、抜触剤によって溶触・破断する場合、軸糸１０の長さ方向を、その基材である織物（３９）のバイアス方向、つまり、地経糸と緯糸との双方に同時に交差する織物（３９）の斜め方向に設定するとよい。
そのようにすると、その裁断口から経糸や緯糸が解れ出し難く、又、舌片５０や軸糸１０の周縁から経糸や緯糸の先端が解れ出ても、その解れ出た先端部分が毛房状（パイル）を成すことにもなるので、舌片５０や軸糸１０の周縁での肌触りがよくなり、却って触感風合いのよい鱗状織編布帛が得られることにもなる。尚、本発明に言う”舌片糸条”には、軸糸から太さの１０倍以上の長さの多数の繊維や糸条が無方向に突き出ていて催し物会場や宴会場等の室内装飾に使用されるモール糸は含まれない。
【００３７】
舌片５０の裏面の接着材４９には一般市販のものを使用することが出来、接着材４９は、接着性樹脂組成物に成る接着性塗料（接着剤）の舌片の裏面に塗布した塗膜であってもよいし、接着性樹脂組成物に成る接着性フイルムであってもよい。その接着性樹脂は、熱融着性樹脂であってもよい。軸糸１０と舌片５０を平板な基材３９から切り取って一体的に構成する場合、接着性塗料（接着剤）を基材３９の裏面に塗布積層し、又、接着性フイルムを接着剤を介して基材３９の裏面に接着積層、或いは、接着性フイルムを基材３９の裏面に直接融着積層してもよい。
熱融着性樹脂に成る接着材４９では、それをＴダイ押出成形機から溶融フイルムとして押し出して基材３９の裏面に直接融着積層することも出来る。
【００３８】
鱗状織編布帛の表面２８を被覆する樹脂皮膜２９も、接着材４９と同様に、一般市販の接着性塗料や接着性樹脂組成物、接着性フイルム等であってもよく、その中でもポリウレタン樹脂を主材とするものが好適に使用される。
【００３９】
本発明の鱗状織編布帛は、ショールやドレス、洋服、和服等の衣料生地、ハンドバック、財布、名刺入れ等の袋物、和装帯、ベルト等の身の回り品、靴、スリッパ、書籍等の表装生地、カーテンや家具、その他の屋内装置品の内装材等に適し、濾布やフィルター等の流体逆流制禦部材、その他、模形屋根瓦等に使用することも出来る。
【図面の簡単な説明】
【００４０】
【図１】本発明に係る鱗状織編布帛の一部切截平面図である。
【図２】本発明に係る鱗状織編布帛の一部切截斜視図である。
【図３】本発明に係る鱗状織編布帛の一部切截平面図である。
【図４】本発明に係る鱗状織編布帛の一部切截平面図である。
【図５】本発明に係る鱗状織編布帛の断面図である。
【図６】本発明に係る舌片糸条の斜視図である。
【図７】本発明に係る舌片糸条の斜視図である。
【図８】本発明に係る舌片糸条の斜視図である。
【図９】本発明に係る舌片糸条を構成する基材の斜視図である。
【符号の説明】
【００４１】
１０：軸糸（緯糸）
１１〜１８：緯糸
１９：境界
２０〜２３：地経糸
２５：舌片の先端部分
２６：窪んだ部分
２７：ミシン糸目
２８：表面
２９：樹脂皮膜
３０〜３３：地経糸
３４：ベース織編地
３５：布目隙間
３６：切取線
３７：重なり合わない部分
３８：重合代
３９：基材
４０：舌片糸条
４１〜４２：浮出部分
４３：ニードルループ
４４：シンカーループ
４５：鎖編紐
４９：接着材
５０〜５２：舌片
ｇ  ：隙間
Ｌ  ：間隔
【図１】
2008069499.tif 000003
【図２】
2008069499.tif 000004
【図３】
2008069499.tif 000005
【図４】
2008069499.tif 000006
【図５】
2008069499.tif 000007
【図６】
2008069499.tif 000008
【図７】
2008069499.tif 000009
【図８】
2008069499.tif 000010
【図９】
2008069499.tif 000011